(57)【要約】ランプ組立体は、高圧放電ランプ（４）、及びランプ（４）の少なくとも一部を取り囲む反射体（１）を有する。ランプ（４）は、ガラスを有して作られるバルブを有し、該バルブは、第１の電極（６）及び第２の電極（７）が存在するガス放電空間（５）を封入する。バルブはまた、第１の電極（６）に対して電流を供給する導電体（８）の一部を有する第２の空間（４１）を封入し、第２の空間（４１）は、イオン化ガスを有して充填される。反射体（１）は、第２の空間（４１）が存在するランプ（４）の部分を実質的に取り囲む導電性部分（４２）を有する。導電性部分（４２）は、第２の電極（７）に対して電気的に接続される。
2008527665.tif 000002
【特許請求の範囲】
【請求項１】
高圧放電ランプと、前記ランプの少なくとも一部を取り囲む反射体と、を有するランプ組立体であって、
前記ランプは、第１の電極及び第２の電極が存在するガス放電空間を封入する、ガラスを有して作られるバルブを有し、前記バルブはまた、前記第１の電極に対して電流を供給する導電体の一部を有する、イオン化ガスを有して充填される、第２の空間を封入し、
前記反射体は、前記第２の空間が存在する前記ランプの前記一部を実質的に取り囲む導電性部分を有し、前記反射体の前記導電性部分は、前記第２の電極に対して電気的に接続される、ことを特徴とする、
ランプ組立体。
【請求項２】
前記ランプの前記バルブは、望ましくは前記バルブの対向する端部において、２つの密封部分を有する、ことを特徴とし、
前記第２の空間は、前記２つの密封部分のうち少なくとも一方において位置決めされる、
請求項１記載のランプ組立体。
【請求項３】
前記バルブは、前記第２の空間を有する前記密封部分を介して前記反射体に対して接続される、ことを特徴とする、
請求項２記載のランプ組立体。
【請求項４】
前記反射体の前記表面の少なくとも一部は、光反射コーティングを与えられ、
前記光反射コーティングの少なくとも一部は、導電性である、ことを特徴とする、
請求項１乃至３のうちいずれか一項記載のランプ組立体。
【請求項５】
前記反射体の前記導電性部分は、前記反射体の材料において実質的に円筒形のボアの表面上に存在し、前記第２の空間が存在する前記ランプの前記部分は、前記ボアにおいて位置決めされる、ことを特徴とする、
請求項１乃至４のうちいずれか一項記載のランプ組立体。
【請求項６】
前導電性の光反射コーティングは、前記ボアの前記表面上に存在する、ことを特徴とする、
請求項５記載のランプ組立体。
【請求項７】
高圧放電ランプと、前記ランプの少なくとも一部を取り囲む反射体と、を有するランプ組立体に対する反射体であって、
前記ランプは、第１の電極及び第２の電極が存在するガス放電空間を封入する、ガラスを有して作られるバルブを有し、前記バルブはまた、前記第１の電極に対して電流を供給する導電体の一部を有する、イオン化ガスを有して充填される、第２の空間を封入し、
前記反射体は、前記第２の空間が存在する前記ランプの前記一部を実質的に取り囲む導電性部分を有し、前記反射体の前記導電性部分は、前記第２の電極に対して電気的に接続される、ことを特徴とする、
反射体。
【発明の詳細な説明】
【技術分野】
【０００１】
本発明は、高圧放電ランプ、及び該ランプの少なくとも一部を取り囲む反射体を有する、ランプ組立体に係る。ランプは、特には石英ガラスであるガラスを有して作られたバルブを有する。該バルブは、第１の電極及び第２の電極が存在するガス放電空間を封入し、また、第１の電極に対して電流を供給する導電体の一部を有する第２の空間を封入する。該第２の空間は、イオン化ガスを有して充填される。
【背景技術】
【０００２】
かかる第２の空間を有する高圧放電ランプは、ＵＳ６，５６３，２６７（特許文献１）において開示される。該文献１は、２つの対向する端部において密封部分を有するバルブを有するランプを開示し、各密封部分は、電極の一方に対して電流を供給するよう導電体を有する。各導電体は、ナイフエッジを有するモリブデン（Ｍｏ）フォイルを有し、イオン化ガスを封入する第２の空間は、密封部分のうち少なくとも一方においてモリブデンフォイルの一部を取り囲む。前出の第２の空間の場所において、ランプのバルブは、空中線（アンテナ）によって取り囲まれる。該空中線は、導電体材料を有して作られ、第２の電極、即ち第２の空間においてモリブデンフォイルに対して電気的に接続されない電極に対して、電気的に接続される。
【０００３】
ランプがスイッチを入れられる際、電流は、２つの電極に対して供給され、バルブのガス放電空間においてガス放電を引き起こし、結果としてガス放電空間からの光放射をもたらす。特にランプがしばらくの間暗い環境に置かれていた際は、光放射が開始するまである程度時間がかかり得る。かかるランプの点灯（イグニション）遅延は、特許文献１中に記載される通り、ＵＶ放射線を用いて短縮され得る。第２の空間は、この空間にわたって電圧が印加される際に、ＵＶ放射線の源を構成し、かかる電圧は、一側上の第２の空間における導電体の一部と、他側上の第２の空間の場所におけるランプのバルブの周囲の空中線との間の電位差によってもたらされる。ＵＶ放射線源は、ＵＶエンハンサーとも称される。
【０００４】
特許文献１中に記載される通り、ランプのバルブにおける第２の空間は、高圧放電ランプを製造する通常の工程中に比較的容易に作られ得る。しかしながら、ランプのバルブの周囲の空中線は、ランプの追加的な部分であり、別個の作業において作られなければならない。結果として、ＵＶエンハンサーを有するランプは、かかるＵＶエンハンサーを有さないランプより複雑且つ高価である。
【特許文献１】ＵＳ６，５６３，２６７
【発明の開示】
【発明が解決しようとする課題】
【０００５】
本発明は、高圧放電ランプ及び該ランプの少なくとも一部を取り囲む反射体を有するランプ組立体を与える、ことを目的とする。該ランプは、ランプのバルブの一部を取り囲む空中線を有するＵＶエンハンサーを具備され、当該ランプ組立体は、かかるＵＶエンハンサーを有する既存のランプ組立体より製造が複雑ではなく且つ高価ではないようにされる。
【課題を解決するための手段】
【０００６】
この目的を達成するよう、反射体は、第２の空間が存在するランプの部分を実質的に取り囲む導電部分を有する。反射体の該導電部分は、第２の電極、即ち第２の空間においてモリブデンフォイルに対して電気的に接続されない電極に対して電気的に接続される。反射体の導電部分は、第２の空間にわたって電圧を与えるよう空中線として機能し得る。反射体を製造する工程中に反射体に対して反射体の導電部分を適用することは、比較的容易であり、ランプ組立体の追加的な部分を形成しない。
【０００７】
望ましい一実施例では、ランプのバルブは、望ましくはバルブの対向する端部において２つの密封部分を有する。第２の空間は、２つの密封部分の少なくとも一方において位置決めされる。上述された通り、また特許文献１中に記載される通り、ランプのバルブの密封部分において第２の空間を作ることは、比較的容易である。バルブは、望ましくは第２の空間を有する密封部分を介して反射体に対して接続され、第２の空間は、反射体の近くに位置決めされる。
【０００８】
反射体の導電部分は、反射体における、あるいは反射体上における、導電材料を有する追加的な層であり得る。しかしながら、望ましい一実施例では、反射体の表面の少なくとも一部は、光反射コーティングを与えられ、該光反射コーティングの少なくとも一部分は、導電性である。反射体は、その表面の一部上に光反射コーティングを与えられるガラスボディ（ガラスセラミック又は石英）であり得る。かかるコーティングは、材料を有する１つの層、又は複数の層をしばしば有し、かかる層のうち１つ又はそれより多くは、導電性であるか、導電性にされ得る。また、追加的な導電性層は、光反射コーティングに対して加えられ得る。導電性層は、第２の電極に対して電気的に接続され得、ランプの第２の空間の近くのこの層の一部は、空中線として機能し、第１の電極に対して電流を供給する導電体の一部と共に、ＵＶエンハンサーとして機能するよう第２の空間にわたって電圧を作り得る。
【０００９】
望ましい一実施例では、反射体の導電性部分は、反射体の材料における実質的に円筒形のボアの表面上に存在し、第２の空間が存在するランプの一部は、該ボアにおいて位置決めされる。ＵＶエンハンサーの空中線は、続いて、第２の空間の長さにわたってバルブに対して密接して位置付けられ、空中線の機能を向上させる。導電性の光反射コーティングは、望ましくは該ボアの表面上に存在し、該ボアにおける導電コーティング及び反射体の内側表面上の光反射コーティングは、同一の製造作業において適用され得る。
【００１０】
本発明はまた、ランプ組立体に対する反射体に係り、該ランプ組立体は、高圧放電ランプ、及びランプの少なくとも一部を取り囲む反射体を有する。ランプは、ガラスを有して作られるバルブを有し、該バルブは、第１の電極及び第２の電極が存在するガス放電空間を封入する。該バルブはまた、第２の電極に対して電流を供給する導電体の一部を有する第２の空間し、第２の空間は、イオン化ガスを有して充填される。反射体は、第２の空間が存在するランプの部分を実質的に取り囲む導電性部分を与えられる。該導電性部分は、第２の電極に対して電気的に接続される。
【発明を実施するための最良の形態】
【００１１】
本発明のこれらの及び他の態様は、以下に記載される実施例を参照して明らかに且つ説明される。
【００１２】
３つの実施例のうち全て、即ち２つの先行技術のランプ組立体（図１及び図２）、及び本発明に従った実施例（図３）は、ガラス（ガラス、ガラスセラミック、又は石英）を主に有して作られる反射体１を有する。反射体１は、ベル形状であり、断面図において図示され、その中心軸は図面の平面にある。反射体１は、その放物線（又は楕円形）の内側表面上に光反射コーティング３を与えられる。高圧放電ランプ４は、反射体１において取り付けられ、ランプ４のバルブのガス放電空間５は、放物線（また楕円形）形状の焦点の近くに位置決めされる。ガス放電空間５は、２つの電極６，７を収容し、該電極は各々、モリブデンフォイル８，９を介して電流供給ワイヤ１０，１１に対して電気的に接続される。各モリブデンフォイル８，９は、ランプ４のバルブの密封部分１２，１３において位置決めされ、２つの密封部分１２，１３は、対向する方向において外方向に延在する。
【００１３】
ランプ４は、密封部分の一方を介して反射体１に対して取り付けられ、密封部分１２は、反射体１のネック部１５において存在するセメント１４において組み込まれる。セメント１４は、反射体１とランプ４との間に分離不能な固い接続を与え、ガス放電空間５は、ランプ組立体によって作られる光ビームの所定の形状を得るよう、所望の場所に正確に維持される。他の密封部分１３は、反射体１の放物線（又は楕円形）の形状の中心線に沿って延在する。電極７に対して電流を供給するワイヤ１１は、密封部分１３の端部においてランプ１のバルブを出て、ボア１６を介して反射体１の壁部を通り、反射体１に対して取り付けられる第１の電気接点素子１７に対して接続され、ランプ１に対する電力供給の電流供給ワイヤに対して接続され得る。電極６に対して電流を供給するワイヤ１０は、密封部分１２において組み込まれ、ランプ組立体の後方側においてランプ１のバルブを出る。
【００１４】
図１は、ランプ組立体を示す。ＵＶエンハンサーは、密封部分１３におけるモリブデンフォイル９の一部の周囲の第２の空間、及び第２の空間の場所において密封部分１３の一部を取り囲む空中線２１を有する。空中線２１は、反射体１の壁においてボア２４を介して反射体１の壁を通るワイヤ２２を用いて第２の電気接点素子２３に対して接続される。また、ワイヤ１０は、第２の電気接点素子２３に対して接続され、電力は、第１及び第２の電気接点素子１７，２３を介してランプに対して供給され得る。
【００１５】
ランプ１のスイッチをオンにするよう、電力は電気接点素子、１７，２３に対して供給され、ワイヤ１０，１１及びモリブデンフォイル８，９を介して電極６，７に対して案内される。更には、電力は、電気接点素子２３及びワイヤ２２を介して空中線２１に対して供給される。これは、アンテナ２１とモリブデンフォイル９との間に電場を確立し、第２の空間からＵＶ放射線を作り、ＵＶ放射線がガス放電空間５におけるガス放電の開始を増進（エンハンス）する。
【００１６】
図２は、ランプ組立体を示す。ＵＶエンハンサーは、密封部分１２においてモリブデンフォイル８の一部の周囲の第２の空間、及び第２の空間の場所において密封部分１２の一部を取り囲むアンテナ３１を有する。アンテナ３１は、ワイヤ３２を用いて第１の電気接点素子１７に対して接続され、ボア１６を介して反射体１の壁を通る。電流供給ワイヤ１０は、第２の電気接点素子２３に対して接続され、電力は、第１及び第２の電気接点素子１７，２３を介してランプに対して供給され得る。
【００１７】
ランプ１のスイッチがオンにされる際、電力は、電気接点１７，２３に対して供給され、ワイヤ１０，１１及びモリブデンフォイル８，９を介して電極６，７に対して案内される。更には、電力は、電気接点素子１７及びワイヤ３２を介して空中線３１に対して供給される。これは、アンテナ３１とモリブデンフォイル８との間に電場を確立し、第２の空間からＵＶ放射線を作り、ＵＶ放射線がガス放電空間５におけるガス放電の開始を増進する。
【００１８】
図３は、本発明に従ったランプ組立体を示す。ＵＶエンハンサーは、ランプ４のバルブの密封部分１２においてモリブデンフォイル８の一部の周囲に第２の空間４１を有する。反射体１のネック部１５は、円筒形のボア４２を備えられ、このボアの内側表面は、反射体１の放物線（又は楕円形）の内側表面上でコーティング３と同一のコーティングを有して覆われる。コーティング３は、光反射性且つ導電性であり、前出の放物線（又は楕円形）の内側表面上、並びに円筒形ボア４２の内側表面上で１つの製造作業によって適用され得る。一般的に、かかるランプの反射コーティングは導電性ではないが、本発明によれば１つ又はそれより多いコーティングの層は、導電性材料を有する。
【００１９】
ランプのスイッチがオンにされる際、電力は、接点素子１７及び供給ワイヤ１０に対して供給される。電流は、ワイヤ１１及びモリブデンフォイル９を介して接点素子１７から電極７まで、並びにモリブデンフォイル８を介してワイヤ１０から電極６まで案内され、ランプ４のバルブの空間５においてガス放電を生成するようにする。空間５におけるガス放電の開始を向上させるよう、ＵＶ放射線は、空間４１にわたって電場を作ることによって空間４１において生成される。電場は、ワイヤ１０に対して電気的に接続されるモリブデンフォイル８と、導電性材料を有してコーティングされる円筒形のボア４２の内側表面との間に生成され、接点素子１７に対して電気的に接続される。
【００２０】
上述されたランプ組立体の実施例は、単なる例であり、多くの他の実施例及び変形が可能である。例えば、反射体の前方側は、ガラスを有して作られる透明な板によって覆われ得る。
【図面の簡単な説明】
【００２１】
【図１】第１の先行技術のランプ組立体を図示する。
【図２】第２の先行技術のランプ組立体を図示する。
【図３】本発明の一実施例を図示する。
【図１】
2008527665.tif 000003
【図２】
2008527665.tif 000004
【図３】
2008527665.tif 000005
【国際調査報告】
2008527665.tif 000006
2008527665.tif 000007